(57)【要約】【課題】  道路標識板等に見られる大型の内照式看板であって、角を丸くした形式のもので、内装している照明パネルの交換等のメンテナンスを容易にし、又標識板の隅部の照度ムラを無くした内照式看板を提供する。【解決手段】  標識板の中央部分に照明パネルＡ・Ｂを設け、外側のパネルＢの外辺を折曲し、この部分にも照明チップを設けることとし、更に隅部分に反射板を設けて側辺部と隅部の照度を上げると共に照明パネルＡ・Ｂを中央に集めることによってパネルの交換等のメンテナンスを容易にした。【選択図】図２
2008107745.tif 000002
【特許請求の範囲】
【請求項１】
分割された平面状の発光パネルＡを看板内中央に配置し、左右の側辺部に端部を内方に向けて折曲した発光パネルＢを組合せて全体で四方形になるようにして看板内に納め、該発明パネルＢの前記折曲部を含めてＡ、Ｂ両パネルにチップＬＥＤを多類列設した光源基板を配設し、看板両側辺部に光源パネルを配置することなく、該両側辺部に、リフレクターと反射板のみを設けて看板内部照明装置としたことを特徴としたコーナー部に丸みを持たせた照明ムラのない大型内照式の看板。
【請求項２】
各光源パネルＡ・Ｂはレールによって縦方向に嵌合されていて、クレーンによって上方に引き上げることを可能とした請求項１に記載のコーナー部を丸みを持たせた照明ムラのない大型内照式の看板。
【発明の詳細な説明】
【技術分野】
【０００１】  本発明は、道路標識等に代表される大型の内照式の看板に関するもので、隅部分の照度のムラを無くし、内部照明具の修理交換を容易にしたことに特徴を具備するものである。
【背景技術】
【０００２】  高速道路をはじめとして、各主要道路上には方向を指示するための標識看板が使用され、夜間でも確認できるように、内部に照明を設けた内照式看板が採用されている。また最近では、この光源の耐久性と節電のためＬＥＤを光源として採用する傾向にある。【０００３】  またこのような標識看板が平板であれば何ら問題はないが、看板の角を落して丸く形成したり、側辺の角を落して曲面に形成する型式の看板が出現している。この場合、看板の隅部や側面は、照度が落ちて見にくいという難点があるばかりか、光源の球切れや光度落ち等の故障が生じる場合がある。
【特許文献１】  特開２０００−２１５７０７号公報
【発明の開示】
【発明が解決しようとする課題】
【０００４】  このように隅部の角を落した丸い看板の場合、前記のように照度の点でもムラが出る難点があるが、メンテナンスの点でも高所に設置されていること、加えて大型である点について取扱いに極めて不便であった。
【課題を解決するための手段】
【０００５】  発明者らは、このような大型の内照式の看板の隅部や側辺部の照度を落すことなく均一な照度を得るために試作研究を繰返した結果本発明を完成させたものであって、本発明は、側辺部に細い幅の光源パネルを角度を設けて設置し、このパネルに反射シートを設けること、によって側辺の照度を保ち、さらに四隅のＲ部分に対しては、この部分にさらに角度を変えた反射シートを用いることによってムラのない大型の内照式看板を得ることができた。【０００６】  また丸みのついた大型看板の中央部に照明パネルＡ・Ｂを設け、側辺部には照明パネルを配することなく、パネルＡ・Ｂは縦方向に設けたレール（５）によって嵌合されているため、メンテナンスに際しては上方からクレーンによって吊り上げることが可能であってメンテナンスの作業が容易となった。
【発明の効果】
【０００７】  上述のように、本発明の内照式看板は、内部の照明構造において、看板の側辺部分及び四隅の部分に反射シートを角度を設けて貼設すること、光源の照明板の幅を小さくして、角度を設けて設置することによって、大型看板の側辺部分及び四隅部分の照度を落すことなく、均一に照度を保つことに成功することができ、高速道路等において安心安全な走行が期待できる。
【発明を実施するための最良の形態】
【０００８】  添付図面により、本発明を実施するための最良の形態を説明すると、図１は本発明の内照用看板の外観を示す実施例図であって、一例として道路標識板を示している。図２は図１の標識板の内部光源のＡパネル、Ｂパネルの配置図を示しているが作図上左半分のみを示している。【０００９】  Ａパネルは５００ｍｍ×５００ｍｍの正方形のパネルで形成されていて、図では詳記していないがコ字状のレールを挟持られていて上方から嵌入して図面では３板が縦に嵌入されて構成されている。図中の（１）は多数配置されている光源となるチップＬＥＤの配列であって等間隔で５列設けてある。【００１０】  又ＢパネルはＡパネルと同じ大きさのパネルであるがチップＬＥＤの配列基板が全部で６枚で、このうち４枚までは等間隔で配置して５本目は少し狭く、６本目は極端に狭くしかも下方に折曲（第３図参照）してある。【００１１】  図３は図２の側面図であって特に標識板側面の構造を詳記する。即ち側面部分及び隅部に反射板を設けて、このＲ部分への光の反射到達を示している。
【実施例】
【００１２】  本発明は高出力のチップＬＥＤを光源とした大型の内照式看板における照度ムラを液晶パネルに使用されている反射シートをＬＥＤ光源側に設置して看板表面に印刷されているシートからの戻りを再度反射させることにより、ＬＥＤからの光を効率よく透過させることにある。【００１３】  道路等に設置されているＬＥＤ光源採用の大型内照式看板は保守性が容易なことが求められている。このため看板上部からレールに嵌合させて光源パネルをワイヤーで引き上げる方法が採用されているが、看板のコーナー部を丸くした看板では端部に光源を設置した場合には、上部へのパネルの引き上げが困難であり、光源の保守性が悪くなっていた。【００１４】  本発明では、看板のＲ部コーナーを含む、左右端にはＬＥＤ光源を設置せず、反射シートを貼り付けたリフレクターと左右最端部のＬＥＤ光源パネルのＬＥＤ基板の間隔と角度を調整することで反射光を最大限に活用し、光源の無い部分の照度ムラを改善することに成功した。本発明の実施例ではリフレクターの角度は３１°で四隅のコーナーにはＲ部に沿って前記リフレクターとは別にＲの内面には反射シートを貼り付けた反射板を入れる。【００１５】  本発明の実施例ではＬＥＤ光源採用大型内照式看板の光源パネルは５００ｍｍ×５００ｍｍの小パネルで構成される。これらの小パネルはできるだけ共通化させることが生産性やコストの点で優位となる。【００１６】  本発明ではＬＥＤ光源パネルを上面のシートに光を照射するＡパネルと、光源を設置せず、リフレクターでの反射光を上面へ飛ばす役割を併用したＢパネルの２種類のみで光源を形成できる。【００１７】  この発明に使用したチップＬＥＤは３２２８サイズのＩＦ×２００ｍＡ汎用疑似白色ＬＥＤである。光源パネルＡではＬＥＤ３２個搭載した１５×４８０ｍｍの基板５板を１０２ｍｍの等間隔で配置してあり、光源パネルＢでは６本のＬＥＤ基板で構成し、ＬＥＤ基板４本まではＡ光源パネルと同等の配置とし、端の一本の間隔を７６ｍｍと狭くし、さらに最端部は４８°に角度を設ける。
【産業上の利用可能性】
【００１８】  道路交通標識板に代表される内照式看板のメンテナンスを容易にし、しかも照度ムラを無くする点で本発明の利用度は高く、全国的に採用される可能性は大きい。
【図面の簡単な説明】
【００１９】
【図１】  内照式看板の正面図
【図２】  内照式看板の内部構成図
【図３】  図２ａ−ａ断面図
【図４】  光源パネルＡ・Ｂの説明図
【図５】  光源パネルＡ・Ｂの側面図
【図６】  コーナー部分の構造拡大説明図
【図７】  光軌跡説明図
【符号の説明】
【００２０】        （１）…ＬＥＤ基板
（１−１）…最側辺のＬＥＤ基板
（２）…チップＬＥＤ
（３）…リフレクター
（５）…パネル固定レール
（６）…ＬＥＤ電源
（７）…表面印刷板
（８）…反射板
【図１】
2008107745.tif 000003
【図２】
2008107745.tif 000004
【図３】
2008107745.tif 000005
【図４】
2008107745.tif 000006
【図５】
2008107745.tif 000007
【図６】
2008107745.tif 000008
【図７】
2008107745.tif 000009